(57)【特許請求の範囲】
【請求項１】
足踏み装置の足踏み板に立設されたロック棒と、
一端部が基体に回動可能に支持され、他端部に前記ロック棒に嵌合する孔を形成した制動板と、
前記基体と制動板との間に介装されて前記制動板を前記ロック棒に対して傾斜した状態に付勢し、前記孔を前記ロック棒に斜めに当接させるばねと、
前記足踏み板に回動可能に設けられ連結杆を介して制動板の他端部に連結された操作板とを備えたことを特徴とする足踏み装置におけるロック機構。
【発明の詳細な説明】
【０００１】
【発明の属する技術分野】
本発明は、足踏み装置において、足踏み板を踏み込んだ位置でロックするようにした足踏み装置におけるロック機構に関する。
【０００２】
【従来の技術】
脚力は腕力に比べてはるかに大きいので、手で操作する作業を、脚力を利用して操作するようにした足踏み装置が多用されている。例えば、ズボンやスカート等下半身に着用する衣服を衣服用ハンガーに吊下げる場合、片手でハンガーのクリップを広げて先端を広げた状態に保持し、他方の手で衣服を挿入している。然しながら、クリップのばねを片手で広げる作業は疲労が激しく長時間の作業に耐えられないので、これを足踏み装置により代替させることが検討されている。
この足踏み装置は、足踏み板を踏むと複数個のクリップの先端が広げられるので、衣服を手で持ってクリップに挿入し、足の力を除けば衣服は挟着され、両手を利用できるという利点がある。
そして、クリップの先端を広げた状態で保持するため、図７に示すようなロック機構が使用されている。
これは、足踏み板Ａにロック板Ｂの側面Ｃを接触させ、足踏み板Ａが踏み込まれたとき係止段部を足踏み板Ａに係止させて、足踏み板Ａが上昇することを阻止し、これによりクリップの先端を広げた状態で保持するものである。
【０００３】
【発明が解決しようとする課題】
上述のロック機構においては、係止段部Ｄの高さは一定であるので、足踏み板Ａを所定の高さまで踏み込んだときに足踏み板Ａがロックされる。即ち、足踏み板Ａがロックされる高さは１箇所である。
従って、足踏み板Ａを踏み込んでも係止段部Ｄに達する前に途中で足を離せば、足踏み板Ａは元位置まで復帰してしまう。また、足踏み板Ａを係止段部Ｄよりも深く踏み込んでも、係止段部Ｄの位置まで戻ったときにロックされる。
ところで、衣服用ハンガーの大きさは多種類あり、それに応じてクリップの大きさも異なり、踏み込む距離も異なってくる。従って、多種類のクリップに対して先端を適切な開がり状態に保つためには、足踏み板Ａを踏み込んだ位置でロックできるロック機構の開発が要望されている。
【０００４】
本発明は、上記の事情に鑑みてなされたもので、その目的は、足踏み板を踏み込んだ位置でロックできる足踏み装置におけるロック機構を提供するにある。
【０００５】
【課題を解決するための手段】
本発明は、足踏み装置の足踏み板に立設されたロック棒と、
一端部が基体に回動可能に支持され、他端部に前記ロック棒に嵌合する孔を形成した制動板と、
前記基体と制動板との間に介装されて前記制動板を前記ロック棒に対して傾斜した状態に付勢し、前記孔を前記ロック棒に斜めに当接させるばねと、
前記足踏み板に回動可能に設けられ連結杆を介して制動板の他端部に連結された操作板とを備えたところに特徴を有する。
【０００６】
【発明の実施の形態】
以下、本発明を衣料用ハンガーのクリップ操作装置に適用した実施例について図１〜図６を参照して説明する。
まず、図４において、衣料用ハンガー１は、本体１ａの中央から上方に吊手２が設けられ、本体１ａの左右に横杆部３が設けられている。この横杆部３には、複数個例えば２個のクリップ４が移動可能に設けられており、クリップ４の間隔が吊下げる衣服に応じて調整可能になっている。
【０００７】
このクリップ４は、対向して配置された一対の挟持片５，５が、その中央部において回動可能に連結され、これらの間にばね６が介装されている。このばね６は、常時は挟持片５，５を付勢しており、一端部が互いに圧接する挟持部７を形成し、他端部が互いに間隔を存して対向した操作部８としている。そして、操作部８を、ばね６の弾発力に抗して互いに接近する方向に移動すると、挟持部７が開くようになっている。
【０００８】
つぎに、操作装置１０について図５を参照して説明する。
基体としてのフレーム１１は、Ｈ形の脚部１２にアングル１３（片側のみ図示）を立設して構成され、上端部に平板状の載置部１４が取付けられている。
載置部１４の前側中央には、ストッパ１５が立設されている。このストッパ１５は、複数種類の大きさの異なるハンガー１に対応できるように、載置部１４の前端部１４ａからの距離が調整できるようになっている。
また、載置部１４の後端部には押圧機構部２１が設けられている。
【０００９】
つぎに、押圧機構部２１について図６を参照して説明する。
載置部１４には、後端部の両側に位置してそれぞれ軸受板２２が突設され、これに軸２３が取着されている。２枚の押圧板２４は、後端部が軸２３に回動可能に支承され、前端部は斜め上方を指向しており、載置部１４との間に間隔を有している。
【００１０】
また、各押圧板２４の先端部には、位置決め板５１が回動可能に支承され、ばね５２により前方に向けて付勢されている。この位置決め板５１は、図示しないストッパーにより、常時は載置部１４にほぼ直交する位置に保持されている。そして、ハンガー１が挿入されると、本体１ａまたはクリップ４に当接してこのハンガー１をストッパ１５に押し付け、該ハンガー１の前後の位置を一定に決めている。
尚、この実施例においては、操作時において、位置決め板５１が押圧板２４と重なってクリップ４を押圧しているが、これに限らず、位置決め板５１をクリップ４と接触しない位置に設けて本体１ａを前方に付勢するように構成し、クリップ４の押圧操作は押圧板２４のみで行なうようにしても良い。
【００１１】
足踏み板２５は、前端部が脚部１２に対して上下方向に回動可能に支承され、後端部と２枚の押圧板２４との間にそれぞれ連結杆２６，２７が接続されている。尚、足踏み板２５は、載置部１４との間に接続されたばね２８により常時、上方に付勢されている。
【００１２】
ここで、衣料用ハンガーのクリップ操作装置について説明する。
図５，６に示すように、載置部１４の前方から位置決め板５１を押し込みながらハンガー１を載置部１４の上面に載置すると、ハンガー１は、ばね５２の弾発力に付勢され位置決め板５１を介して横杆部３の中央部がストッパ１５に当接される。
そして、左右のクリップ４，４は、それぞれ押圧板２４の下方に位置し、挟持部７は載置部１４から前方に突出している。
【００１３】
そこで、作業者が足踏み板２５を踏み込むと、足踏み板２５は下方へ移動し、連結杆２６，２７を介して押圧板２４の先端が下降して、図６に二点鎖線で示すように、位置決め板５１は回動して押圧板２４に重なり、押圧板２４が操作部８をばね６の弾発力に抗して押し下げる。これにより、クリップ４の挟持部７の先端が開く。
つぎに、作業者は、ハンガー１に取付ける衣服Ｃ例えばズボンやスカート等の両端部を両手で持ち、該衣服Ｃを左右に引っ張って緊張させた状態で各クリップ４の挟持部７に挿入する。
足踏み板２５が復帰すれば、押圧板２４及び位置決め板５１が上方へ復帰し、操作部８の圧力が解除されるので、クリップ４も同時に復帰して、衣服Ｃは、クリップ４の挟持部７に挟持される。
そこで、ハンガー１を衣服Ｃとともに取り出した後、新たなハンガー１を供給して、前記の工程を繰り返す。
【００１４】
つぎに、図１〜図３において、本発明のロック装置６１を説明する。
図１において、ロック棒６２は、足踏み板２５の先端に略直角に立設されている。操作板６３は、足踏み板２５の上に重ねられ、一端が足踏み板２５に回動可能に支承され、他端に形成された丸孔または長孔６４がロック棒６２に挿入されている。本実施例においては、操作板６３の一端に設けられた折返し片６３ａにピン６５が連結されており、このピン６５が足踏み板２５の下面に当接している。制動板６６は、一端が基体としてのアングル１３に取着された箱状の受け部６７に支持され、他端に形成された孔６８がロック棒６２に嵌合している。この制動板６６は、アングル１３との間に介装されたばね６９により常時上方へ付勢されている。尚、制動板６６と操作板６３との間には連結杆７０が取付けられている。
【００１５】
つぎに上記ロック装置６１の作用について図２及び図３を参照して説明する。足で足踏み板２５を踏み込むと、ロック棒６２がばね６９を伸縮して制動板６６の孔６８を摺動しながら下降しする。このとき、制動板６６の傾斜状態は変わらず、孔６８はロック棒６２に対して斜めに接触している（図２参照）。
ここで足を離すと、足踏み板２５はばね２８により上方へ付勢され、制動板６６をこじるように作用して、制動板６６とロック棒６２との摩擦力が一層大きくなって、ロック棒６２の上昇が阻止され、足踏み板２５はロック状態に保持される。
【００１６】
つぎに、操作板６３を踏むと、図３に示すように、連結杆７０を介して制動板６６の先端が下降して、ロック棒６２に略直交した状態になる。これにより、ロック棒６２と孔６８との間に隙間ができ摩擦力がなくなる。即ち、ロック状態は解除され、ロック棒６２即ち足踏み板２５が操作板６３とともに上昇して元位置に復帰する。
【００１７】
尚、足踏み板２５と操作板６３とを同時に踏み込んだ場合には、ロック状態にはならず、足を離した途端に足踏み板２５が復帰する。
【００１８】
上記実施例によれば、踏み込み量にかかわらず、足踏み板２５を踏み込んだ位置でロックできるという効果を奏する。
また、足踏み板２５と操作板６３とを同時に踏み込めば、足を離した途端に足踏み板２５が復帰するという異なる操作も可能であるという効果を奏するものである。
【００１９】
【発明の効果】
本発明は、足踏み装置の足踏み板に立設されたロック棒と、
一端部が基体に回動可能に支持され、他端部に前記ロック棒に嵌合する孔を形成した制動板と、
前記基体と制動板との間に介装されて前記制動板を前記ロック棒に対して傾斜した状態に付勢し、前記孔を前記ロック棒に斜めに当接させるばねと、
前記足踏み板に回動可能に設けられ連結杆を介して制動板の他端部に連結された操作板とを備えたので、踏み込み量にかかわらず、足踏み板を踏み込んだ位置でロックできるという優れた効果を奏するものである。
【図面の簡単な説明】
【図１】  本発明の実施例を示す拡大斜視図である。
【図２】  ロック状態を拡大して示す側面図である。
【図３】  ロック解除を拡大して示す側面図である。
【図４】  衣服用ハンガーの斜視図である。
【図５】  衣料用ハンガーのクリップ操作装置の斜視図である。
【図６】  衣料用ハンガーに衣服を挟む作用を説明するための側面図である。
【図７】  従来のロック装置の作用を説明するための側面図である。
【符号の説明】
２５  足踏み板
６１  ロック装置
６２  ロック棒
６３  操作板
６６  制動板
６９  ばね
７０  連結杆
【図１】
0003785482.tif 000002
【図２】
0003785482.tif 000003
【図３】
0003785482.tif 000004
【図４】
0003785482.tif 000005
【図５】
0003785482.tif 000006
【図６】
0003785482.tif 000007
【図７】
0003785482.tif 000008